(57)【要約】【課題】放射線などの線量測定装置の校正装置において、校正用線源と被校正線量測定装置との距離を小さくし、校正用線源の交換を行なうことなく、任意且つ迅速に作業が行なえる校正装置を得る。【解決手段】校正用線源からの放射線の減衰を大気によって行なわせる方式に代え、放射線遮蔽金属などによって形成された厚みもしくは材質の異なる複数の移動フィルターの中の一個を、単一の校正用線源に対して選択的に使用する。【選択図】図２
2007040945.tif 000002
【特許請求の範囲】
【請求項１】
放射線遮蔽物質からなるそれぞれ厚みの異なる複数の移動フィルターと、それら移動フィルターを校正用線源を収容した照射遮蔽容器のコリメーターの開口に対面する位置に移動させる手段と、前記の位置に移動せしめられた移動フィルターをコリメーターの開口に密着させる手段、とを備えた事を特徴とする放射線などの線量測定装置の校正装置。
【請求項２】
移動フィルターの表面が、校正用線源を中心として仮想的に描いた円の一部と合致する曲面を有している事を特徴とする請求項１記載の放射線などの線量測定装置の校正装置。
【発明の詳細な説明】
【技術分野】
【０００１】  本発明はγ線などの放射線などの線量測定装置の校正装置に関するものである。
【背景技術】
【０００２】  従来の校正装置は複数の校正用線源を装備し、必要とされる線量率に応じて、線源の強度、台車に載置された校正を要する線量測定装置と線源の距離、さらに積算型の線量測定装置に関しては照射時間を変えて、線量測定装置の校正を行っていた。【０００３】  そのため、実際の校正のための作業に於いては、校正される線量測定装置の種類に応じて、線源を交換し、線量測定装置が載置される校正台車と校正用線源の距離調整することによって各種の線量測定装置に対応していた。【０００４】  そのような過去の技術は、下記文献に詳述されている。
【特許文献１】特開昭６２−１８２６８７号公報
【発明の開示】
【発明が解決しようとする課題】
【０００５】  校正用線源の強度変更と、校正用線源と被校正線量測定装置の距離の調整は、従来から必要な手順として認識されてきたが、実際には校正作業時間の大部分がこれらの作業によって占められている現状に鑑み、本件発明者は、この部分の作業時間短縮が要求される最大の問題点であるという結論に到達した。【０００６】  従来の方式は、校正用線源からコリメーターを経て照射遮蔽容器の外部へ放射線が照射され、予め計算された放射線の空気中における減衰を利用して校正が行われている。そのため適切な数値を得るための校正用線源と被校正線量測定装置との距離調整が重要な意味を持ち、その調整に時間を要するのが当然と考えられていたことになる。
【課題を解決するための手段】
【０００７】  予め放射線の減衰率を計算できる放射線遮蔽金属を使用した何種類かの移動フィルターを作成し、単一の校正用線源に対して、その移動フィルターを交換することによって、校正用線源と被校正線量測定装置の距離の変更を行なった従来形式と同等の結果を得る。その場合、使用する放射線遮蔽金属の半価層または１／１０価層の倍数の厚みを持った複数の移動フィルターを使用するのが望ましい。【０００８】  従来から使用されている校正用線源の収容された照射遮蔽容器のコリメーターの外部開口に、移動フィルターと同一の放射線遮蔽金属或いは別途の物質からなる開口閉鎖体をフィルター基体として設置し、複数の移動フィルターの中から望ましい移動フィルターをフィルター基体に合致させて、校正用線源から照射される線量を選択する。【０００９】  このような装置に必要とされる構造は、複数の移動フィルターを任意にフィルター基体に対面する位置に移動できることと、対面した移動フィルターをフィルター基体に密着させて放射線の減衰量を安定させることである。そのため、校正用線源が収容された照射遮蔽容器と同心的に、移動フィルターがその周囲を移動できる手段と、フィルター基体に対面した移動フィルターを校正用線源の照射軸線に沿って両者が密着するように移動させる手段が要求される。
【発明の効果】
【００１０】  本発明によると、従来使用されていた被校正線量測定装置が載置された台車を使用する必要が無いため、校正作業のために要求されていた台車の移動時間が不要となり、また、空気中における校正用線源からの放射線減衰を利用しないので、従来必要とされた空気のための空間、すなわち校正用線源と被校正線量測定装置の距離も不要となる。さらに、移動フィルターによって線量率を変更することが出来るので、校正用線源を複数用意する必要が無く、校正用線源の交換という大きな手間を省略することが出来る。加えて、フィルター基体と移動フィルターによって構成される構造体の外表面が、図３の如く、校正用線源を中心として仮想的に描いた円の一部と合致する曲面を有しているので、従来のコリメーターより放射線量の均一性を得ることが出来、それによって散乱線となる成分を低減させることが出来る効果がある。
【発明を実施するための最良の形態】
【００１１】  図面に従って本発明の実施例の構造を説明すると、図１及び図２において、校正用線源８とそれに対応するコリメーター部１０ａが収容された照射遮蔽容器１０の上には、コリメーター１０ａの軸線と平行にガイドレール５が設置されている。ガイドレール５にはその上を移動できる座板３が載置されており、座板３にはリング２が載置され、リング２は座板３に対して図１において校正用線源８を中心とする円運動が可能になるように取り付けられている。コリメーター１０ａの外部開口にはフィルター基体９が固定されるとともに、リング２には複数の移動フィルター１が設置されている。４はリング２の円運動のための駆動装置、７は座板３の直線移動のための引き込み装置である。【００１２】  図示例に於いては、四種の移動フィルター１、１ａ、１ｂ、１ｃが示されており、いずれもリング２によって支持されている。これらの移動フィルター１とフィルター基体９によって構成される構造体の表面は、校正用線源８を中心として仮想的に描いた円の一部と合致する曲面を有している。非使用時に、フィルター基体９と移動フィルター１は乖離しており、移動フィルター１はリング２の旋回に従って任意の位置に移動できる。【００１３】  動作に付いて説明すると、今、移動フィルター１を選択使用する場合、駆動装置４によりリング２を旋回させて移動フィルター１をフィルター基体９に対面させ、然る後に引き込み装置７によって座板３とリング２全体をガイドレール５に沿って移動させ、移動フィルター１をフィルター基体９に密着させる。この動作によって、予め計算されている移動フィルター１とフィルター基体９による構造体の減衰率を利用して、コリメーター１０ａに対面して適切な位置に設置されている被校正線量測定装置の校正が可能となる。【００１４】  さらに別の放射線量により構成を行なう必要がある場合には、引き込み装置７を逆動させて移動フィルター１とフィルター基体１０ａを乖離させた後に、駆動装置４によってリング２を旋回させ、例えば移動フィルター１ａをフィルター基体９に対面させて、再度引き込み装置７によって移動フィルター１ａとフィルター基体９を密着させれば、次続の校正作業を行なうことが出来る。【００１５】  これら一連の作動の為に、各種のリミットスィッチを使用し、引き込み装置７及び駆動装置４の作動を助け、全体の制御並びに校正作業をコンピューターによって操作するが、本件出願に於いては説明が煩雑になる恐れがあるので省略する。
【産業上の利用可能性】
【００１６】  現在広く使用されている放射線の線量測定装置の校正作業において、本発明によると、作業スペースの圧縮、作業時間の短縮、作業者の安全確保、作業コストの低減などなどが達成でき、今後の利用途は多岐にわたることが予想される。
【図面の簡単な説明】
【００１７】
【図１】本発明実施例の概念的平面図である。
【図２】図１の要部横断面図である。
【図３】フィルター基体及び移動フィルター部分の拡大断面図である。
【符号の説明】
【００１８】１      移動フィルター
２      リング
３      座板
４      駆動装置
５      ガイドレール
７      引き込み装置
８      校正用線源
９      フィルター基体
１０    照射遮蔽容器
１０ａ  コリメーター
【図１】
2007040945.tif 000003
【図２】
2007040945.tif 000004
【図３】
2007040945.tif 000005